(57)【要約】      （修正有）【課題】免震性向上と同時に、施工性を改良した転倒防止シートの提供。【解決手段】（１）構築物土台、構築物さお石からなる構築物において、構築物土台と構築物さお石の間に、中空の筒状空間を設け、該筒状空間に、弾性材又は接着剤で囲まれた金属棒を嵌合したことを特徴とする構築物。（２）構築物土台、構築物さお石からなる構築物において、（ａ）構築物土台と構築物さお石の間に、筒状空間を設け、該筒状空間に、弾性材又は接着剤で囲まれた金属棒を嵌合させること。（ｂ）構築物土台と構築物さお石の間に、弾性材からなるシート材と、該シート材と一体化した金属製乃至プラスチックス製球状体からなる転倒防止シートを挿入することを特徴とする構築物。【選択図】図２
0003123124.tif 000002
【実用新案登録請求の範囲】
【請求項１】
構築物土台、構築物さお石からなる構築物において、
構築物土台と構築物さお石の間に、中空の筒状空間を設け、該筒状空間に、弾性材又は接着剤で囲まれた金属棒を嵌合したことを特徴とする構築物。
【請求項２】
構築物土台、構築物中間台、構築物さお石からなる構築物において、
構築物土台と構築物中間台の間乃至構築物中間台と構築物さお石の間に、中空の筒状空間を設け、該筒状空間に、弾性材又は接着剤で囲まれた金属棒を嵌合したことを特徴とする構築物。
【請求項３】
構築物土台、構築物さお石からなる構築物において、
（ａ）構築物土台と構築物さお石の間に、中空の筒状空間を設け、該筒状空間に、弾性材又は接着剤で囲まれた金属棒を嵌合させること
（ｂ）構築物土台と構築物さお石の間に、弾性材からなるシート材と、該シート材と一体化した金属製乃至プラスチックス製球状体からなる転倒防止シートを挿入すること
を特徴とする構築物。
【請求項４】
構築物土台、構築物中間台、構築物さお石からなる構築物において、
（ａ）構築物土台と構築物中間台の間乃至構築物中間台と構築物さお石の間に、中空の筒状空間を設け、該筒状空間に、弾性材又は接着剤で囲まれた金属棒を嵌合させること、
（ｂ）構築物土台と構築物中間台の間乃至構築部中間台と構築物さお石の間に、弾性材からなるシート材と、該シート材と一体化した金属製乃至プラスチックス製球状体からなる転倒防止シートを挿入すること
を特徴とする構築物。
【請求項５】
請求項１又は請求項２において、弾性材又は接着剤で囲まれた金属棒の形状として、複数の球を棒で突き刺した形状であることを特徴とする構築物。
【請求項６】
請求項１又は請求項２において、弾性材又は接着剤で囲まれた金属棒の形状として、金属棒の周囲が弾性材又は接着剤で覆われた形状であることを特徴とする構築物。
【請求項７】
請求項１又は請求項２において、筒状空間の形状として、角を丸めた円柱であることを特徴とする構築物。
【請求項８】
請求項１又は請求項２において、筒状空間の形状として、角を丸めた四角柱であることを特徴とする構築物。
【請求項９】
請求項３又は請求項４から選ばれる構築物において、シート材の片面に、高分子接着剤乃至高分子粘着剤が塗布されていることを特徴とする構築物。
【請求項１０】
請求項３又は請求項４から選ばれる構築物において、球状体は、金属製乃至プラスチック製のリングの中に存在することを特徴とする構築物。
【考案の詳細な説明】
【技術分野】
【０００１】
本考案は、免震性が付与された墓石や、顕彰碑などの構築物に使用される施工性の改良された免震性を有する構築物に関する。
【背景技術】
【０００２】
地震などにより墓石などが倒壊することは広く経験されるところである。このような墓石の倒壊防止のため種々の方法が提案されている。例えば、さお石を頂部として上台、中台、下台と積み重ねた墓石において、さお石の中腹部から上台、中台とを貫通し下台の中腹部に達する貫通孔を設け、該貫通孔に金属棒を嵌合し、金属棒と貫通孔との間には軟質材料の緩衝中空筒を介在させ、該緩衝中空筒の外径と貫通孔の内径とは緩く嵌合し、さお石と上台との接合面には互いの回転を阻止し固着する結合ピンを埋め込んだ墓石が開示されている（特許文献１）。
墓石ブロックを積み重ねた構造の耐震墓石であって、該墓石ブロックの間に弾性緩衝材が存在することを特徴とする耐震墓石が開示されている（特許文献２）。
【０００３】
【特許文献１】特開２００５−１８０１３０号公報
【特許文献２】特開平１１−９３４６０号公報
【０００４】
しかし、従来の公知技術においては、構造が複雑であったり、構築物は、重量があるため、使用中に変形したりしてしまう。本考案においては、さお石乃至中間台と土台の間に金属球を使用した転倒防止用シートを挿入することにより免震性を付与するのであるが、墓石さお石は、重量があり、施工時に移動してしまうなどの問題点が発生した。
【考案の開示】
【考案が解決しようとする課題】
【０００５】
そこで本考案の目的は、免震性向上と同時に、施工性を改良した転倒防止シートの開発である。
【課題を解決するための手段】
【０００６】
すなわち、本考案の免震性構築物は、以下の特徴を有する。
（１）構築物土台、構築物さお石からなる構築物において、
構築物土台と構築物さお石の間に、中空の筒状空間を設け、該筒状空間に、弾性材又は接着剤で囲まれた金属棒を嵌合したことを特徴とする。
（２）構築物土台、構築物中間台、構築物さお石からなる構築物において、
構築物土台と構築物中間台の間乃至構築物中間台と構築物さお石の間に、中空の筒状空間を設け、該筒状空間に、弾性材又は接着剤で囲まれた金属棒を嵌合したことを特徴とする。
（３）構築物土台、構築物さお石からなる構築物において、
（ａ）構築物土台と構築物さお石の間に、中空の筒状空間を設け、該筒状空間に、弾性材又は接着剤で囲まれた金属棒を嵌合させること
（ｂ）構築物土台と構築物さお石の間に、弾性材からなるシート材と、該シート材と一体化した金属製乃至プラスチックス製球状体からなる転倒防止シートを挿入すること
を特徴とする。
（４）構築物土台、構築物中間台、構築物さお石からなる構築物において、
（ａ）構築物土台と構築物中間台の間乃至構築物中間台と構築物さお石の間に、中空の筒状空間を設け、該筒状空間に、弾性材又は接着剤で囲まれた金属棒を嵌合させること、
（ｂ）構築物土台と構築物中間台の間乃至構築部中間台と構築物さお石の間に、弾性材からなるシート材と、該シート材と一体化した金属製乃至プラスチックス製球状体からなる転倒防止シートを挿入することを特徴とする。
（５）  （１）又は（２）において、弾性材又は接着剤で囲まれた金属棒の形状として、複数の球を棒で突き刺した形状であることを特徴とする。
（６）  （１）又は（２）において、弾性材又は接着剤で囲まれた金属棒の形状として、金属棒の周囲が弾性材又は接着剤で覆われた形状であることを特徴とする。
（７）  （１）又は（２）において、筒状空間の形状として、角を丸めた円柱であることを特徴とする。
（８）  （１）又は（２）において、筒状空間の形状として、角を丸めた四角柱であることを特徴とする。
（９）  （３）又は（４）から選ばれる構築物において、シート材の片面に、高分子接着剤乃至高分子粘着剤が塗布されていることを特徴とする。
（１０）（３）又は（４）から選ばれる構築物において、球状体は、金属製乃至プラスチック製のリングの中に存在することを特徴とする。
【０００７】
本考案において、構築物とは、墓石、顕彰碑、記念碑など人が住む目的以外に作成された建造物をいうが、本考案の構築物の主要な対象は墓石である。本考案の対象である、墓石は通常、地面に近い部分にある墓石土台、上部にある墓石さお石から構成される。場合により、墓石土台と墓石さお石の間に墓石中間台が存在する場合もある。
【０００８】
本考案において、構築物土台と構築物中間台の間乃至構築物中間台と構築物さお石の間に、中空の筒状空間が設けられる。中空のとは、筒状空間が、墓石土台、墓石中間台、墓石さお石と貫通していない状態をいう。筒状空間は、構築物土台、構築物中間台、構築物さお石の所定の位置に円柱状乃至柱状の凹みを形成させる。該凹みの形成位置は、構築物土台、構築物中間台、構築物さお石を各々組み立てたとき、構築物土台と構築物中間台の間或いは構築物中間台と構築物さお石の間に筒状空間が形成されるよう設けられる。筒状空間の形状は、角を丸くした四角柱、円柱をあげることができる。
【０００９】
本考案において、弾性材又は接着剤で囲まれた金属棒の形状としては、複数の球を棒で突き刺した形状、金属棒の周囲が弾性材又は接着剤で覆われた形状をあげることができる。筒状空間に弾性材又は接着剤で囲まれた金属棒が嵌合させたとき、金属棒は、構築物土台と構築物中間台の間或いは構築物中間台と構築物さお石の間に存在し、あたかも、鉄筋を入れたが如き構造となり、しかも、金属棒は弾性材又は接着剤で囲まれた構造であるため、地震などの震動に際して震動を弱める働きがある。
【００１０】
本考案において、金属製乃至プラスチックス製球状体とは、金属乃至プラスチックスからなる球状体をいう。球状体に使用できる金属としては、好ましくは、アルミニウム、スズ、ハンダ、ステンレス、鉛、真鍮、銅、金メッキ・銀メッキした真鍮や銅をあげることができる。金・銀・白金などの貴金属は高価すぎるし、亜鉛などでは、使用中酸化しやすいからである。また球状体に使用できるプラスチックスとしては、ポリアミド、ポリエステル、ポリオレフィン、ポリアクリロニトリルなどをあげることができる。
【００１１】
本考案における、球状体とは、球、楕円球、角を丸くした立方体、角を丸くした円柱などをあげることができる。使用する球状体の径は半径が０．５〜２０ミリメートルが好ましい。０．５ミリメートルより小さいと弾性体の厚みが必然的に小さくなり、２０ミリメートルより大きくなると、効果が飽和するからである。本考案において、球状体を使用することにより、墓石さお石、墓石中間台の荷重を支えることが可能である。
【００１２】
本考案において、弾性材からなるシート材、弾性材で囲まれた金属棒に使用する弾性体としては、ウレタンエラストマー、ブチルゴム、ポリウレタン、シリコンゴム、スチレン・ブタジエン・アクリロニトリル系ゴムなどの合成ゴム、天然ゴムをあげることができる。
接着剤で囲まれた金属棒に使用する接着剤としては、エポキシ樹脂、酢酸ビニル樹脂、アクリル樹脂、メタクリル樹脂、生ゴム等をあげることができ、弾性材と混合して使用することもできる。
本考案において、弾性材又は接着剤及び金属を積層したシート材に使用する金属としては、好ましくは、アルミニウム、スズ、ハンダ、ステンレス、鉛、真鍮、銅、金メッキ・銀メッキした真鍮や銅をあげることができる。また弾性材及びプラスチックスを積層したシート材に使用するプラスチックスとしては、ポリアミド、ポリエステル、ポリオレフィン、ポリアクリロニトリルなどをあげることができる。
【００１３】
本考案において一体化したとは、シート材と球状体が相互に共同して転倒防止が可能な如き構造をいい、具体的には、シートの一部に欠落部を形成させ、この部分にドーナツ型金属リングや球状体を配した構造、シートの一部に欠落部を形成させ、この部分にドーナツ型金属リングや球状体を配し更に弾性材又は接着剤を配した構造をあげることができる。
本考案において使用されるドーナツ型金属リングにおけるドーナツ型とは、円柱の中心部が欠落した構造の輪型の形状をいう。欠落部の径を球状体の径より大きくすれば、墓石土台上又は墓石中間台上で置いたとき、ドーナツ型金属リングの中心部に球状体を置くことが可能であり、結果としてドーナツ型金属リングは、球状体の移動防止壁となすことが可能となる。
【００１４】
ドーナツ型金属リングに使用される金属としては、好ましくは、スズ、ハンダ、ステンレス、鉛、真鍮、銅、金メッキ・銀メッキした真鍮、銅をあげることができる。
【００１５】
本考案において、転倒防止シートに使用される高分子接着剤乃至高分子粘着剤としては、デンプンのり、ポリビニルアルコール水溶液等の水溶性高分子、エポキシ樹脂、酢酸ビニル樹脂、アクリル樹脂、メタクリル樹脂、生ゴムなどのゴム系接着剤をあげることができる。
【００１６】
本考案の転倒防止シートにおいて、接着剤乃至高分子粘着剤を塗布した面を保護するため、シリコン樹脂を塗布した紙乃至フィルムで保護し、使用直前に紙乃至フィルムを剥離し使用することができる
【００１７】
本考案において、弾性材乃至弾性材と金属材料の積層品からなるシートは、好ましくは、青（緑）、赤、白、黒に着色される。四方の神を表す四神は、東（青龍）：青（緑）、南（朱雀）：赤、西（白虎）：白、北（玄武）：黒とされるからである。着色には、有機顔料、無機顔料、染料が使用できるが、一般には有機顔料、無機顔料が好ましい。無機顔料としては、青：群青など、赤：ベンガラなど、白：酸化チタン、酸化亜鉛など、黒：カーボンブラックなどを使用できる。有機顔料としては、アゾ顔料、フタロシアン顔料などを用いることができる。
【００１８】
本考案において、着色した弾性材片と、該弾性材片中に存在する金属球と、ドーナツ型金属リングから構成されている転倒防止用シートは、四個一組で使用され、各々は、青（緑）、赤、白、黒に着色されている。転倒防止用シートを施工するに際しては、青（緑）は東に、赤は南に、白は西に、黒は北に配置することができる。
【００１９】
このように配置することにより、ご本尊を東に「持国天」、南に「増長天」、西に「広目天」、北に「多聞天」がガードするように、余分な浮遊霊や邪悪なものが近づくのをガードすると信じられているのである。
転倒防止シートに、青龍、朱雀、白虎、玄武を表す絵柄を印刷したり、これら絵柄を印刷した紙を挿入したりして、より強力に余分な浮遊霊や邪悪なものが近づくのをガードさせることも可能である。
【考案を実施するための最良の形態】
【００２０】
図１は、墓石土台２と墓石さお石３の間に、筒状空間４を設けられている墓石１の正面図である。
図２は、墓石土台２と墓石さお石３の間に、筒状空間４が設けられ、該筒状空間に弾性材又は接着剤６で囲まれた金属棒５を入れた墓石１の正面図である。
【００２１】
図３は、図２ＡＢ面における断面図であり、筒状空間に嵌め込まれた金属棒５と弾性材又は接着剤６は、墓石土台２及び墓石さお石３のほぼ中央部に存在する。
図４は、図２Ｃ部分の拡大図であり、金属棒５は、不規則な厚みの弾性材又は接着剤６で囲まれている。
図５は、墓石土台と墓石さお石の間に、筒状空間が設けられ、該筒状空間に弾性材又は接着剤６で囲まれた金属棒５を入れ、更に金属球７と弾性材シート８からなる転倒防止シートを配した墓石の、図２ＡＢ面に相当する位置での断面図である。
なお北側の位置の転倒防止シートは、弾性体は黒色、南側の転倒防止用シートは赤色、東側の転倒防止シートは青色、西側の転倒防止シートは顔料で白色に着色されている。図５において、墓石中間台、墓石さお石の荷重がかけられると、金属球７は変形して弾性体５の厚みと同じになる。
【００２２】
図６は、本考案で使用可能な、弾性材又は接着剤６で囲まれている金属棒５の断面図である。
図７は、本考案で使用可能な、金属球７とドーナツ型金属リング１０と弾性材シート８から
なる転倒防止シートの断面図である。
図８は、本考案で使用可能な、金属球７とドーナツ型金属リング１０と弾性材シート８からなる転倒防止シートの断面図であって、金属球７は弾性材又は接着剤６で囲まれている。
【００２３】
以上の説明によって明らかな様に、本考案による転倒防止シートは、以下に列挙した如き、実用上の好ましい効果を奏する。
（ａ）従来から存在する墓等の構築物に対し、土台と中間台の間、中間台とさお石の間などの間に挿入することで有効であり、地震などの災害から墓などの構築物を保護することが可能である。
（ｂ）施工中において、転倒防止シートが移動したりすることがないため、施工性が優れ、施工時間が短縮でき、作業効率をあげることができる。
（Ｃ）転倒防止シートに使用する部材は環境に対する影響が少なく安全性が高い。
（ｄ）コストアップも少なく経済性に優れる。
【図面の簡単な説明】
【００２４】
【図１】墓石土台と墓石さお石の間に、筒状空間を設けられている墓石の正面図である。
【図２】墓石土台と墓石さお石の間に、筒状空間が設けられ、該筒状空間に弾性材又は接着剤で囲まれた金属棒を入れた墓石の正面図である。
【図３】図２ＡＢ面における断面図である。
【図４】図２Ｃ部分の拡大図である。
【図５】墓石土台と墓石さお石の間に、筒状空間が設けられ、該筒状空間に弾性材又は接着剤で囲まれた金属棒を入れ、更に金属球と弾性材シートからなる転倒防止シートを配した構築物の、図２ＡＢ面に相当する位置での断面図である。
【図６】本考案で使用可能な、弾性材又は接着剤で囲まれている金属棒の断面図である。
【図７】本考案で使用可能な、金属球と弾性材シートと、ドーナツ型金属リングからなる転倒防止シートの断面図である。
【図８】本考案で使用可能な、金属球と弾性材シートと、ドーナツ型金属リングと弾性材又は接着剤からなる転倒防止シートの断面図である。
【符号の説明】
【００２５】
１      墓
２      墓石土台
３      墓石さお石
４      筒状空間
５      金属棒
６      弾性材又は接着剤
７      金属球
８      弾性材シート
９      転倒防止シート
１０    ドーナツ型金属リング
１１    保護シート
１２    接着剤
【図１】
0003123124.tif 000003
【図２】
0003123124.tif 000004
【図３】
0003123124.tif 000005
【図４】
0003123124.tif 000006
【図５】
0003123124.tif 000007
【図６】
0003123124.tif 000008
【図７】
0003123124.tif 000009
【図８】
0003123124.tif 000010